(57)【要約】【課題】  ターンロックファスナを所定の相対的に大きなベルト幅内で種々異なる大きさの挿入切欠部を比較的大きな引抜き力により予固定すること。【解決手段】  ２つの構成部材（２０，２７）を結合するためのターンロックファスナが、デッキプレート（４）と、該デッキプレート（４）に成形され、該デッキプレート（４）から離れるように伸長する脚シャフト（５）とを有する。前記脚シャフトには、前記デッキプレート（４）から間隔をおいて相互に対向する少なくとも２つの剛性の固定ソケット（１０，１１）が形成されており、該固定ソケット（１０，１１）は前記脚シャフト（５）から半径方向で外側に伸長している。さらに前記ターンロックファスナ（１）を固定するための固定装置が第１の構成部材に設けられており、前記固定装置は半径方向に弾性の少なくとも２つのばね脚部（１４，１５）を有し、該ばね脚部はそれぞれ前記２つの固定ソケット（１０，１１）の間に配置されており、さらに前記ばね脚部の一方の端部は前記脚シャフト（５）と結合されており、他方の自由端部は前記脚シャフト（５）から離れるように前記デッキプレート（４）の方向に伸長している。【選択図】  図１
2009535584.tif 000002
【特許請求の範囲】
【請求項１】
２つの構成部材（２０，２７）を結合するためのターンロックファスナであって、デッキプレート（４）と、該デッキプレート（４）に成形され、該デッキプレート（４）から離れるように伸長する脚シャフト（５）とを有し、
前記脚シャフトには、前記デッキプレート（４）から間隔をおいて相互に対向する少なくとも２つの剛性の固定ソケット（１０，１１）が前記脚シャフト（５）から半径方向で外側に伸長して形成されており、
さらに前記ターンロックファスナ（１）を第１の構成部材（２０）に固定するための固定装置を備える形式のターンロックファスナにおいて、
前記固定装置は半径方向に弾性の少なくとも２つのばね脚部（１４，１５）を有し、
該ばね脚部はそれぞれ前記２つの固定ソケット（１０，１１）の間に配置されており、さらに前記ばね脚部の一方の端部は前記脚シャフト（５）と結合されており、他方の自由端部は前記脚シャフト（５）から離れるように前記デッキプレート（４）の方向に伸長している、
ことを特徴とするターンロックファスナ。
【請求項２】
請求項１記載のデッキプレート［ターンロックファスナ］において、
前記ばね脚部（１４，１５）と前記固定ソケット（１０，１１）は、前記脚シャフト（５）の、前記デッキプレート（４）から離れる側にある脚端部（９）の領域で前記脚シャフト（５）と結合されている、ことを特徴とするデッキプレート。
【請求項３】
請求項１または２記載のターンロックファスナにおいて、
前記固定ソケット（１０，１１）は、前記脚シャフト（５）から直角に離れるように半径方向で外側に伸長している、ことを特徴とするターンロックファスナ。
【請求項４】
請求項１から３までのいずれか一項記載のターンロックファスナにおいて、
前記固定ソケット（１０，１１）は、回転方向で前側にある乗上げリード傾斜部（１２）をそれぞれ１つ有する、ことを特徴とするターンロックファスナ。
【請求項５】
請求項４記載の装置において、
前記各固定ソケット（１０，１１）は、前記デッキプレート（４）に対して平行に配向された１つの当接面（１３）を有する、ことを特徴とする装置。
【請求項６】
請求項１から５までのいずれか一項記載のターンロックファスナにおいて、
少なくとも１つのばね脚部（１４，１５）は、自由端部に半径方向で外側に突出する確保ノーズ（１９）を有する、ことを特徴とするターンロックファスナ。
【請求項７】
請求項１から６までのいずれか一項記載のターンロックファスナにおいて、
前記デッキプレート（４）には、前記脚シャフト（５）に向いた側に少なくとも１つのストップ突起（７，８）が形成されており、該ストップ突起は前記デッキプレート（４）から軸方向に離れるように伸長している、ことを特徴とするターンロックファスナ。
【請求項８】
請求項１から７までのいずれか一項記載のターンロックファスナにおいて、
前記デッキプレート（４）の、前記脚シャフト（５）に向いた側には、ソフトエラスティックな材料からなり、周回するシールリップ（６）が取り付けられている、ことを特徴とするターンロックファスナ。
【請求項９】
請求項１から８までのいずれか一項記載のターンロックファスナにおいて、
前記デッキプレート（４）の、前記脚シャフト（５）とは反対の側には、工具装着構造体（３）が形成されている、ことを特徴とするターンロックファスナ。
【発明の詳細な説明】
【技術分野】
【０００１】
本発明は、請求項１の上位概念部（前置部）によるターンロックファスナに関する。
【背景技術】
【０００２】
この種のターンロックファスナはＤＥ  １９８  ３８，５６０  Ａ１から公知である。２つの構成部材を結合するための公知のターンロックファスナは、デッキプレートと、このデッキプレートに成形された脚部を有する。脚部は、デッキプレートから離れるように伸長する脚シャフトを有し、この脚シャフトにはデッキプレートから間隔をおいて相互に対向する２つの剛性の固定アームが形成されている。この固定アームは前記脚シャフトから半径方向で外側に伸長している。さらに予固定装置が設けられており、これによりターンロックファスナが構成部材に予め固定される。
【特許文献１】ＤＥ  １９８  ３８，５６０  Ａ１
【発明の開示】
【発明が解決しようとする課題】
【０００３】
公知のターンロックファスナでは、予固定装置が半径方向に脚シャフトを越えて突出するカムによって形成されている。このカムは、半分が開放した有底の切欠部に係合するように構成されている。この切欠部は、構成部材に取り付けられた挿入切欠部の枠に沿って設けられており、この構成部材の中にターンロックファスナが予め固定される。
【０００４】
しかしこの構成の欠点は、係合が行われるように予固定装置と挿入切欠部とが非常に精確に相互に整合していなければならないことである。さらにこの構成では予固定装置でのターンロックファスナの引抜き力が、いくつかの適用例に対して不十分である。
【０００５】
本発明の基礎とする課題は、冒頭に述べた形式のターンロックファスナが、所定の比較的大きなベルト（帯状体）幅内で大きさが種々異なる挿入切欠部を、比較的大きな引抜き力で予固定することのできるように構成することである。
【課題を解決するための手段】
【０００６】
この課題は冒頭に述べた形式のターンロックファスナにおいて、本発明により請求項１の特徴部分の構成によって解決される。
【発明の効果】
【０００７】
本発明のターンロックファスナにおいて予固定装置が半径方向に弾性のばね脚部を有することによって、本発明のターンロックファスナは比較的に大きなベルト（帯状体）幅にわたって大きさの異なる挿入切欠部に、ないしは比較的に大きな公差を以て製作された挿入切欠部に挿入することができ、予固定位置に位置決めすることができ、この予固定位置では前記ばね脚部が挿入切欠部の縁部を後方から把持する。この後方把持によって比較的に大きな引抜き力も得られる。なぜなら挿入切欠部を貫通した後のばね脚部のリバウンドにより、非常に効率的なブロック作用が導入方向とは反対の軸方向に対して形成されるからである。
【発明を実施するための最良の形態】
【０００８】
本発明のさらなる有利な構成は従属請求項の対象である。
【実施例】
【０００９】
図面を参照した本発明の有利な実施例の以下の説明から、さらなる有利な構成および利点が明らかとなる。
【００１０】
図１は、本発明のターンロックファスナ１の一実施例を斜視図に示す。例としてのターンロックファスナ１は、ハードエラスティック（硬質可撓性）なプラスチック材料からなる本体２を有する。この本体は、この実施例では工具装着構造体としての六角ヘッド３と、この六角ヘッド３と結合され、半径方向にこれを突出するディスク状のデッキプレート４と、このデッキプレートの前記六角ヘッド３に対向する側に成形され、軸方向にデッキプレート４から離れるように伸長する脚シャフト５とを有する。
【００１１】
さらにターンロックファスナ１には、デッキプレート４の外側縁部に沿って脚シャフト５の側に配置されたシールリップ６が装備されている。このシールリップはソフトエラスティックな材料からなり、デッキプレート４に結合されている。
【００１２】
脚シャフト５の形成領域ではデッキプレート４に、脚シャフト５の両側に配置された長手のストップウェブ（ストップ突起）７，８が形成されている。このストップウェブは半径方向において脚シャフト５から離れるように伸長している。脚シャフト５のデッキプレート４とは反対側の脚端部９には、脚シャフト５の両側に配置され、相互に対向する堅固（強固）な固定ソケット１０，１１が成形されている。これらの固定ソケットは半径方向で脚シャフト５から突き出ており、ターンロックファスナ１の回転方向で前側にある乗上げリード傾斜部１２をそれぞれ１つ有する。この乗上げリード傾斜部は、それぞれの固定ソケット１０，１１の脚端部９側の領域からデッキプレート４の方向に立ち上がっている。各乗上げリード傾斜部１２は、脚シャフト５に対して直角であり、デッキプレート４に対して平行に配向された当接面１３に（連って）移行している。
【００１３】
最後に本体２は２つのばね脚部１４，１５を有し、これらのばね脚部はそれぞれ固定ソケット１０，１１の間に配置され、脚端部９の領域で脚シャフト５と結合されている。ばね脚部１４，１５はそれぞれ１つ板ばね状の中央区間１６を有する。この中央区間は脚端部９から間隔を増大しながら斜めに（立て掛けたように）配向して、デッキプレート４の方向に伸長しており、これにより各ばね脚部１４，１５に所定の柔軟性を付与している。したがってばね脚部１４，１５は脚シャフト５の半径方向に、ないしこの脚シャフト５から離れるように可動である。各ばね脚部１４，１５の脚端部９とは反対側の自由端部には、斜めに外側を指向する端面１７、ならびに軸方向に伸長するシールウェブ１８が形成されている。さらに各ばね脚部１４、１５は確保ノーズ１９を有する。この確保ノーズは端面１７のほぼ中央に座しており、シールウェブ１８から半径方向で外側に伸長している。
【００１４】
図２は、図１に従った例としてのターンロックファスナの斜視図であり、このターンロックファスナは第１の構成部材２０と係合した予固定配置にある。第１の構成部材２０は挿入切欠部２１により形成される。この挿入切欠部は、ターンロックファスナ１の、第１の構成部材２０に対する予固定位置では、固定ソケット１０，１１が妨げられずに貫通し、ばね脚部１４，１５は、その中央区間１６が脚シャフト５の方向に半径方向に圧縮され、引き続きばね脚部１４，１５が脚シャフト５から離れるように半径方向に（反発して）伸びる（Ausfedern）ように構成されている。ここで挿入切欠部２１はさらに、（確保ノーズの）両端面１７が、第１の構成部材２０のデッキプレート４に対向する側に（係合）当接し、シールウェブ１８が挿入切欠部２１の内側縁部に当接するように構成されている。このことによりターンロックファスナ１は予固定配置で第１の構成部材２０と係留されており、比較的大きな引抜き力に耐えることができる。
【００１５】
図３は、予固定配置における図１および図２の実施例をストップウェブ７，８の領域で示す断面図である。図３から予固定配置では、ばね脚部１４、１５の確保ノーズ１９が、これらに相補形に形成された確保切欠部２２に係合していることが分かる。これによりタ―ンロックファスナ１を所定の引抜き力までは予固定配置に確保（予固定）する。この確保切欠部２２は挿入切欠部２１の縁部に形成されている。さらに図３から、ストップウェブ７，８はそれぞれ第１のストッパ領域２３，２４の近傍に配置されており、したがってターンロックファスナ１は第１のストッパ（当接）領域２３，２４の方向への回転がロックされていることが分かる。
【００１６】
確保ノーズ１９と確保切欠部２２との係合に補充的に、ターンロックファスナ１が予固定配置から意図せずに回転しないようにするため、挿入切欠部２１の縁部には第１の確保カム（突起）２５，２６が形成されている。この第１の確保カム２５，２６は内側に向かって突出しており、半径方向で内側にあって相互を指す（内）端面間の間隔は、半径方向で外側を指すストップウェブ７，８の（外）端面間の間隔よりも小さい。
【００１７】
図４は、図１から図３の本発明のターンロックファスナ１を、図２と図３の予固定配置で示す縦断面図である。図４から、予固定配置ではシールリップ６が実質的に変形なしで、またはせいぜいわずかに変形して第１の構成部材２０に当接していることが分かる。さらに図４から、ばね脚部１４，１５が予固定配置では第１の構成部材２０を、挿入切欠部２１の縁部に沿って部分的に後方から把持することが良く分かる。
【００１８】
図５は、最終固定配置にある図１の実施例を斜視図に示す。この最終固定配置では第１の構成部材２０が第２の構成部材２７と次のようにして結合されている。すなわち、ターンロックファスナ１が図２から図４に示された予固定配置から典型的には９０°だけ一方の回転方向に回転されることによって結合されている。そしてこの最終固定配置では、乗上げリード傾斜部１２が第２の構成部材２７に取り付けられた差込み切欠部２８の縁部に乗り上げ、当接面１３が最終的に、第２の構成部材２７の、デッキプレート４とは反対側に当接する。最終固定配置ではばね脚部１４、１５は、固定ソケット（ないし台座アーム）１０，１１が妨げられずに貫通するために形成された差込み切欠部２８と、挿入切欠部２１の領域内にある。したがって第１、第２構成部材２０，２７を結合するための結合機能は固定ソケット１０，１１の作用だけによって成就される。
【００１９】
図６は、ストップウェブ７，８の領域におけるターンロックファスナ１の断面を示す。図６から、最終固定配置ではストップウェブ７，８が挿入切欠部２１の第２のストッパ領域２９，３０に当接しており、これによりターンロックファスナ１が、予固定配置から最終固定配置へ移行する回転方向でさらに回転するのが阻止されている。ターンロックファスナ１がこの回転方向とは反対に、図５と図６の最終回転配置から意図せずに外れて回転するのを阻止するために、挿入切欠部２１の縁部に沿って、ストッパ領域２９，３０から所定の間隔で第２の確保カム（突起）３１，３２が形成されている。この第２の確保カム３１，３２は半径方向で内側に向かって挿入切欠部２１内に突出している。半径方向で内側を指す第２の確保カム３１，３２の端面間の間隔は、半径方向で内側を指す第１の確保カム２５，２６の（外）端面間の間隔に相当する。
【００２０】
図７は、ターンロックファスナ１を図５と図６の最終固定配置で示す縦断面図である。図７から、固定ソケット１０，１１の当接面１３が第２の構成部材２７の、デッキプレート４とは反対の側へ作用し、当接面１３とシールリップ６のデッキプレート４側の端面との相応の間隔によってシールリップ６が（圧縮）変形していることが分かる。これにより挿入切欠部２１ならびに差込み切欠部２８の密閉が、第１の構成部材２０の、デッキプレート４に向いた側により達成される。
【図面の簡単な説明】
【００２１】
【図１】図１は、本発明のターンロックファスナの一実施例を斜視図にて示す。
【図２】図２は、図１の実施例の斜視図であり、第１の構成部材と予固定位置で係合している様子を示す。
【図３】図３は、図１および図２の実施例を、図２の予固定配置で示す断面図である。
【図４】図４は、図１から図３の実施例を、予固定配置で示す縦断面図である。
【図５】図５は、図１から図４の実施例の斜視図であり、最終固定配置で２つの構成部材が相互に結合している様子を示す。
【図６】図６は、図１から図５の実施例を、図５の最終固定配置で示す断面図である。
【図７】図７は、図１から図６の実施例を、図５と図６の最終固定配置で示す縦断面図である。
【図１】
2009535584.tif 000003
【図２】
2009535584.tif 000004
【図３】
2009535584.tif 000005
【図４】
2009535584.tif 000006
【図５】
2009535584.tif 000007
【図６】
2009535584.tif 000008
【図７】
2009535584.tif 000009
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
２つの構成部材（２０，２７）を結合するためのターンロックファスナであって、デッキプレート（４）と、該デッキプレート（４）に成形され、該デッキプレート（４）から離れるように伸長する脚シャフト（５）とを有し、
前記脚シャフトには、前記デッキプレート（４）から間隔をおいて相互に対向する少なくとも２つの剛性の固定ソケット（１０，１１）が前記脚シャフト（５）から半径方向で外側に伸長して形成されており、
さらに前記ターンロックファスナ（１）を第１の構成部材（２０）に固定するための固定装置を備え、
前記固定装置は、半径方向に弾性である少なくとも２つのばね脚部（１４，１５）を有し、
該ばね脚部はそれぞれ前記２つの固定ソケット（１０，１１）の間に配置されており、さらに前記ばね脚部の一方の端部は前記脚シャフト（５）と結合されており、他方の自由端部は前記脚シャフト（５）から離れるように前記デッキプレート（４）の方向に伸長している形式のターンロックファスナにおいて、
前記ばね脚部（１４，１５）は、これらが予固定配置においては、第１の構成部材（２０）に形成された挿入切欠部（２１）に後方から把持するように配置されており、
前記固定ソケット（１０，１１）は、回転方向で前側にある乗上げリード傾斜部（１２）をそれぞれ１つ有し、
前記デッキプレート（４）の、前記脚シャフト（５）に向いた側には、ソフトエラスティックな材料からなり、周回するシールリップ（６）が取り付けられており、
前記固定ソケット（１１，１２）の、前記デッキプレート（４）に向いた側の当接面（１３）と、前記シールリップ（６）の、前記デッキプレート（４）とは反対側の端面との間隔は、前記シールリップ（６）が最終固定配置では密閉作用を達成するために変形されるよう調整されている、
ことを特徴とするターンロックファスナ。
【請求項２】
請求項１記載のデッキプレートにおいて、
前記ばね脚部（１４，１５）と前記固定ソケット（１０，１１）は、前記脚シャフト（５）の、前記デッキプレート（４）から離れる側にある脚端部（９）の領域で前記脚シャフト（５）と結合されている、ことを特徴とするデッキプレート。
【請求項３】
請求項１または２記載のターンロックファスナにおいて、
前記固定ソケット（１０，１１）は、前記脚シャフト（５）から直角に離れるように半径方向で外側に伸長している、ことを特徴とするターンロックファスナ。
【請求項４】
請求項１から３までのいずれか一項記載の装置において、
前記各固定ソケット（１０，１１）は、前記デッキプレート（４）に対して平行に配向された１つの当接面（１３）を有する、ことを特徴とする装置。
【請求項５】
請求項１から４までのいずれか一項記載のターンロックファスナにおいて、
少なくとも１つのばね脚部（１４，１５）は、自由端部に半径方向で外側に突出する確保ノーズ（１９）を有する、ことを特徴とするターンロックファスナ。
【請求項６】
請求項１から５までのいずれか一項記載のターンロックファスナにおいて、
前記デッキプレート（４）には、前記脚シャフト（５）に向いた側に少なくとも１つのストップ突起（７，８）が形成されており、該ストップ突起は前記デッキプレート（４）から軸方向に離れるように伸長している、ことを特徴とするターンロックファスナ。
【請求項７】
請求項１から６までのいずれか一項記載のターンロックファスナにおいて、
前記デッキプレート（４）の、前記脚シャフト（５）とは反対の側には、工具装着構造体（３）が形成されている、ことを特徴とするターンロックファスナ。
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
２つの構成部材（２０，２７）を結合するためのターンロックファスナであって、デッキプレート（４）と、該デッキプレート（４）に成形され、該デッキプレート（４）から離れるように伸長する脚シャフト（５）とを有し、
前記脚シャフトには、前記デッキプレート（４）から間隔をおいて相互に対向する少なくとも２つの剛性の固定ソケット（１０，１１）が前記脚シャフト（５）から半径方向で外側に伸長して形成されており、
さらに前記ターンロックファスナ（１）を第１の構成部材（２０）に固定するための固定装置を備え、
前記固定装置は、半径方向に弾性である少なくとも２つのばね脚部（１４，１５）を有し、
該ばね脚部はそれぞれ前記２つの固定ソケット（１０，１１）の間に配置されており、さらに前記ばね脚部の一方の端部は前記脚シャフト（５）と結合されており、他方の自由端部は前記脚シャフト（５）から離れるように前記デッキプレート（４）の方向に伸長している形式のターンロックファスナにおいて、
前記ばね脚部（１４，１５）は、これらが予固定配置においては、第１の構成部材（２０）に形成された挿入切欠部（２１）に後方から把持するように配置されており、
前記固定ソケット（１０，１１）は、回転方向で前側にある乗上げリード傾斜部（１２）をそれぞれ１つ有し、
前記デッキプレート（４）の、前記脚シャフト（５）に向いた側には、ソフトエラスティックな材料からなり、周回するシールリップ（６）が取り付けられており、
前記固定ソケット（１１，１２）の、前記デッキプレート（４）に向いた側の当接面（１３）と、前記シールリップ（６）の、前記デッキプレート（４）とは反対側の端面との間隔は、前記シールリップ（６）が最終固定配置では密閉作用を達成するために変形されるよう調整されている、
ことを特徴とするターンロックファスナ。
【請求項２】
請求項１記載のデッキプレートにおいて、
前記ばね脚部（１４，１５）と前記固定ソケット（１０，１１）は、前記脚シャフト（５）の、前記デッキプレート（４）から離れる側にある脚端部（９）の領域で前記脚シャフト（５）と結合されている、ことを特徴とするデッキプレート。
【請求項３】
請求項１または２記載のターンロックファスナにおいて、
前記固定ソケット（１０，１１）は、前記脚シャフト（５）から直角に離れるように半径方向で外側に伸長している、ことを特徴とするターンロックファスナ。
【請求項４】
請求項１から３までのいずれか一項記載のターンロックファスナにおいて、
前記各固定ソケット（１０，１１）は、前記デッキプレート（４）に対して平行に配向された１つの当接面（１３）を有する、ことを特徴とする装置。
【請求項５】
請求項１から４までのいずれか一項記載のターンロックファスナにおいて、
少なくとも１つのばね脚部（１４，１５）は、自由端部に半径方向で外側に突出する確保ノーズ（１９）を有する、ことを特徴とするターンロックファスナ。
【請求項６】
請求項１から５までのいずれか一項記載のターンロックファスナにおいて、
前記デッキプレート（４）には、前記脚シャフト（５）に向いた側に少なくとも１つのストップ突起（７，８）が形成されており、該ストップ突起は前記デッキプレート（４）から軸方向に離れるように伸長している、ことを特徴とするターンロックファスナ。
【請求項７】
請求項１から６までのいずれか一項記載のターンロックファスナにおいて、
前記デッキプレート（４）の、前記脚シャフト（５）とは反対の側には、工具装着構造体（３）が形成されている、ことを特徴とするターンロックファスナ。
【手続補正２】
【補正対象書類名】明細書
【補正対象項目名】全文
【補正方法】変更
【補正の内容】
【書類名】明細書
【発明の名称】ターンロックファスナ
【技術分野】
【０００１】
本発明は、ターンロックファスナ、特に請求項１の上位概念部（前置部）によるターンロックファスナに関する。即ち、本発明は、２つの構成部材を結合するためのターンロックファスナであって、デッキプレートと、該デッキプレートに成形され、該デッキプレートから離れるように伸長する脚シャフトとを有し、前記脚シャフトには、前記デッキプレートから間隔をおいて相互に対向する少なくとも２つの剛性の固定ソケットが前記脚シャフトから半径方向で外側に伸長して形成されており、さらに前記ターンロックファスナを第１の構成部材に固定するための固定装置を備え、前記固定装置は、半径方向に弾性である少なくとも２つのばね脚部を有し、該ばね脚部はそれぞれ前記２つの固定ソケットの間に配置されており、さらに前記ばね脚部の一方の端部は前記脚シャフトと結合されており、他方の自由端部は前記脚シャフトから離れるように前記デッキプレートの方向に伸長している形式のターンロックファスナに関する。
【背景技術】
【０００２】
この種のターンロックファスナはＤＥ  １９８  ３８，５６０  Ａ１から公知である。２つの構成部材を結合するための公知のターンロックファスナは、デッキプレートと、このデッキプレートに成形された脚部を有する。脚部は、デッキプレートから離れるように伸長する脚シャフトを有し、この脚シャフトにはデッキプレートから間隔をおいて相互に対向する２つの剛性の固定アームが形成されている。この固定アームは前記脚シャフトから半径方向で外側に伸長している。さらに予固定装置が設けられており、これによりターンロックファスナが構成部材に予め固定される。
【特許文献１】  ＤＥ  １９８  ３８，５６０  Ａ１
【発明の開示】
【発明が解決しようとする課題】
【０００３】
公知のターンロックファスナでは、予固定装置が半径方向に脚シャフトを越えて突出するカムによって形成されている。このカムは、半分が開放した有底の切欠部に係合するように構成されている。この切欠部は、構成部材に取り付けられた挿入切欠部の枠に沿って設けられており、この構成部材の中にターンロックファスナが予め固定される。
【０００４】
しかしこの構成の欠点は、係合が行われるように予固定装置と挿入切欠部とが非常に精確に相互に整合していなければならないことである。さらにこの構成では予固定装置でのターンロックファスナの引抜き力が、いくつかの適用例に対して不十分である。
【０００５】
本発明の基礎とする課題は、冒頭に述べた形式のターンロックファスナが、所定の比較的大きなベルト（帯状体）幅内で大きさが種々異なる挿入切欠部を、比較的大きな引抜き力で予固定することのできるように構成することである。
【解決手段】
【０００６】
この課題は冒頭に述べた形式のターンロックファスナにおいて、本発明により請求項１の特徴部分の構成によって解決される。
即ち、本発明のターンロックファスナは、前記ばね脚部は、これらが予固定配置においては、第１の構成部材に形成された挿入切欠部に後方から把持するように配置されており、前記固定ソケットは、回転方向で前側にある乗上げリード傾斜部をそれぞれ１つ有し、前記デッキプレートの、前記脚シャフトに向いた側には、ソフトエラスティックな材料からなり、周回するシールリップが取り付けられており、前記固定ソケットの、前記デッキプレートに向いた側の当接面と、前記シールリップの、前記デッキプレートとは反対側の端面との間隔は、前記シールリップが最終固定配置では密閉作用を達成するために変形されるよう調整されている、ことを特徴とする。
なお、特許請求の範囲に付記した図面参照番号は専ら理解を助けるためのものであり、図示の態様に限定することを意図するものではない。
【発明の効果】
【０００７】
本発明のターンロックファスナにおいて予固定装置が半径方向に弾性のばね脚部を有することによって、本発明のターンロックファスナは比較的に大きなベルト（帯状体）幅にわたって大きさの異なる挿入切欠部に、ないしは比較的に大きな公差を以て製作された挿入切欠部に挿入することができ、予固定位置に位置決めすることができ、この予固定位置では前記ばね脚部が挿入切欠部の縁部を後方から把持する。この後方把持によって比較的に大きな引抜き力も得られる。なぜなら挿入切欠部を貫通した後のばね脚部のリバウンドにより、非常に効率的なブロック作用が導入方向とは反対の軸方向に対して形成されるからである。
【発明を実施するための最良の形態】
【０００８】
本発明のさらなる有利な構成は従属請求項の対象である。即ち、以下の有利な形態が可能である。
前記ばね脚部と前記固定ソケットは、前記脚シャフトの、前記デッキプレートから離れる側にある脚端部の領域で前記脚シャフトと結合されていることが好ましい。（形態１）
前記固定ソケットは、前記脚シャフトから直角に離れるように半径方向で外側に伸長していることが好ましい。（形態２）
前記各固定ソケットは、前記デッキプレートに対して平行に配向された１つの当接面を有することが好ましい。（形態３）
少なくとも１つのばね脚部は、自由端部に半径方向で外側に突出する確保ノーズを有することが好ましい。（形態４）
前記デッキプレートには、前記脚シャフトに向いた側に少なくとも１つのストップ突起が形成されており、該ストップ突起は前記デッキプレートから軸方向に離れるように伸長していることが好ましい。（形態５）
前記デッキプレートの、前記脚シャフトとは反対の側には、工具装着構造体が形成されていることが好ましい。（形態６）
【実施例】
【０００９】
図面を参照した本発明の有利な実施例の以下の説明から、さらなる有利な構成および利点が明らかとなる。
【００１０】
図１は、本発明のターンロックファスナ１の一実施例を斜視図に示す。例としてのターンロックファスナ１は、ハードエラスティック（硬質可撓性）なプラスチック材料からなる本体２を有する。この本体は、この実施例では工具装着構造体としての六角ヘッド３と、この六角ヘッド３と結合され、半径方向にこれを突出するディスク状のデッキプレート４と、このデッキプレートの前記六角ヘッド３に対向する側に成形され、軸方向にデッキプレート４から離れるように伸長する脚シャフト５とを有する。
【００１１】
さらにターンロックファスナ１には、デッキプレート４の外側縁部に沿って脚シャフト５の側に配置されたシールリップ６が装備されている。このシールリップはソフトエラスティックな材料からなり、デッキプレート４に結合されている。
【００１２】
脚シャフト５の形成領域ではデッキプレート４に、脚シャフト５の両側に配置された長手のストップウェブ（ストップ突起）７，８が形成されている。このストップウェブは半径方向において脚シャフト５から離れるように伸長している。脚シャフト５のデッキプレート４とは反対側の脚端部９には、脚シャフト５の両側に配置され、相互に対向する堅固（強固）な固定ソケット１０，１１が成形されている。これらの固定ソケットは半径方向で脚シャフト５から突き出ており、ターンロックファスナ１の回転方向で前側にある乗上げリード傾斜部１２をそれぞれ１つ有する。この乗上げリード傾斜部は、それぞれの固定ソケット１０，１１の脚端部９側の領域からデッキプレート４の方向に立ち上がっている。各乗上げリード傾斜部１２は、脚シャフト５に対して直角であり、デッキプレート４に対して平行に配向された当接面１３に（連って）移行している。
【００１３】
最後に本体２は２つのばね脚部１４，１５を有し、これらのばね脚部はそれぞれ固定ソケット１０，１１の間に配置され、脚端部９の領域で脚シャフト５と結合されている。ばね脚部１４，１５はそれぞれ１つ板ばね状の中央区間１６を有する。この中央区間は脚端部９から間隔を増大しながら斜めに（立て掛けたように）配向して、デッキプレート４の方向に伸長しており、これにより各ばね脚部１４，１５に所定の柔軟性を付与している。したがってばね脚部１４，１５は脚シャフト５の半径方向に、ないしこの脚シャフト５から離れるように可動である。各ばね脚部１４，１５の脚端部９とは反対側の自由端部には、斜めに外側を指向する端面１７、ならびに軸方向に伸長するシールウェブ１８が形成されている。さらに各ばね脚部１４、１５は確保ノーズ１９を有する。この確保ノーズは端面１７のほぼ中央に座しており、シールウェブ１８から半径方向で外側に伸長している。
【００１４】
図２は、図１に従った例としてのターンロックファスナの斜視図であり、このターンロックファスナは第１の構成部材２０と係合した予固定配置にある。第１の構成部材２０は挿入切欠部２１により形成される。この挿入切欠部は、ターンロックファスナ１の、第１の構成部材２０に対する予固定位置では、固定ソケット１０，１１が妨げられずに貫通し、ばね脚部１４，１５は、その中央区間１６が脚シャフト５の方向に半径方向に圧縮され、引き続きばね脚部１４，１５が脚シャフト５から離れるように半径方向に（反発して）伸びる（Ausfedern）ように構成されている。ここで挿入切欠部２１はさらに、（確保ノーズの）両端面１７が、第１の構成部材２０のデッキプレート４に対向する側に（係合）当接し、シールウェブ１８が挿入切欠部２１の内側縁部に当接するように構成されている。このことによりターンロックファスナ１は予固定配置で第１の構成部材２０と係留されており、比較的大きな引抜き力に耐えることができる。
【００１５】
図３は、予固定配置における図１および図２の実施例をストップウェブ７，８の領域で示す断面図である。図３から予固定配置では、ばね脚部１４、１５の確保ノーズ１９が、これらに相補形に形成された確保切欠部２２に係合していることが分かる。これによりタ―ンロックファスナ１を所定の引抜き力までは予固定配置に確保（予固定）する。この確保切欠部２２は挿入切欠部２１の縁部に形成されている。さらに図３から、ストップウェブ７，８はそれぞれ第１のストッパ領域２３，２４の近傍に配置されており、したがってターンロックファスナ１は第１のストッパ（当接）領域２３，２４の方向への回転がロックされていることが分かる。
【００１６】
確保ノーズ１９と確保切欠部２２との係合に補充的に、ターンロックファスナ１が予固定配置から意図せずに回転しないようにするため、挿入切欠部２１の縁部には第１の確保カム（突起）２５，２６が形成されている。この第１の確保カム２５，２６は内側に向かって突出しており、半径方向で内側にあって相互を指す（内）端面間の間隔は、半径方向で外側を指すストップウェブ７，８の（外）端面間の間隔よりも小さい。
【００１７】
図４は、図１から図３の本発明のターンロックファスナ１を、図２と図３の予固定配置で示す縦断面図である。図４から、予固定配置ではシールリップ６が実質的に変形なしで、またはせいぜいわずかに変形して第１の構成部材２０に当接していることが分かる。さらに図４から、ばね脚部１４，１５が予固定配置では第１の構成部材２０を、挿入切欠部２１の縁部に沿って部分的に後方から把持することが良く分かる。
【００１８】
図５は、最終固定配置にある図１の実施例を斜視図に示す。この最終固定配置では第１の構成部材２０が第２の構成部材２７と次のようにして結合されている。すなわち、ターンロックファスナ１が図２から図４に示された予固定配置から典型的には９０°だけ一方の回転方向に回転されることによって結合されている。そしてこの最終固定配置では、乗上げリード傾斜部１２が第２の構成部材２７に取り付けられた差込み切欠部２８の縁部に乗り上げ、当接面１３が最終的に、第２の構成部材２７の、デッキプレート４とは反対側に当接する。最終固定配置ではばね脚部１４、１５は、固定ソケット（ないし台座アーム）１０，１１が妨げられずに貫通するために形成された差込み切欠部２８と、挿入切欠部２１の領域内にある。したがって第１、第２構成部材２０，２７を結合するための結合機能は固定ソケット１０，１１の作用だけによって成就される。
【００１９】
図６は、ストップウェブ７，８の領域におけるターンロックファスナ１の断面を示す。図６から、最終固定配置ではストップウェブ７，８が挿入切欠部２１の第２のストッパ領域２９，３０に当接しており、これによりターンロックファスナ１が、予固定配置から最終固定配置へ移行する回転方向でさらに回転するのが阻止されている。ターンロックファスナ１がこの回転方向とは反対に、図５と図６の最終回転配置から意図せずに外れて回転するのを阻止するために、挿入切欠部２１の縁部に沿って、ストッパ領域２９，３０から所定の間隔で第２の確保カム（突起）３１，３２が形成されている。この第２の確保カム３１，３２は半径方向で内側に向かって挿入切欠部２１内に突出している。半径方向で内側を指す第２の確保カム３１，３２の端面間の間隔は、半径方向で内側を指す第１の確保カム２５，２６の（外）端面間の間隔に相当する。
【００２０】
図７は、ターンロックファスナ１を図５と図６の最終固定配置で示す縦断面図である。図７から、固定ソケット１０，１１の当接面１３が第２の構成部材２７の、デッキプレート４とは反対の側へ作用し、当接面１３とシールリップ６のデッキプレート４側の端面との相応の間隔によってシールリップ６が（圧縮）変形していることが分かる。これにより挿入切欠部２１ならびに差込み切欠部２８の密閉が、第１の構成部材２０の、デッキプレート４に向いた側により達成される。
【図面の簡単な説明】
【００２１】
【図１】図１は、本発明のターンロックファスナの一実施例を斜視図にて示す。
【図２】図２は、図１の実施例の斜視図であり、第１の構成部材と予固定位置で係合している様子を示す。
【図３】図３は、図１および図２の実施例を、図２の予固定配置で示す断面図である。
【図４】図４は、図１から図３の実施例を、予固定配置で示す縦断面図である。
【図５】図５は、図１から図４の実施例の斜視図であり、最終固定配置で２つの構成部材が相互に結合している様子を示す。
【図６】図６は、図１から図５の実施例を、図５の最終固定配置で示す断面図である。
【図７】図７は、図１から図６の実施例を、図５と図６の最終固定配置で示す縦断面図である。
【国際調査報告】
2009535584.tif 000010
2009535584.tif 000011
2009535584.tif 000012
2009535584.tif 000013
2009535584.tif 000014
2009535584.tif 000015